(57)【要約】【課題】オーガによる掻き込みを円滑にして穀稈の詰まりを抑制できる汎用コンバインを提供する。【解決手段】走行機体２と、走行機体２の前部に昇降可能に連結され、穀稈を刈り取って後方に搬送する刈取装置３と、走行機体２に設けられ、刈取部３が刈り取った穀稈を脱穀処理する脱穀装置４と、を備える汎用コンバインＣであって、刈取部３は、穀稈を後方に掻き込むリール１３と、穀稈を刈り取る刈刃１６Ａと、刈り取った穀稈を掻き込むオーガ１４と、刈刃１６Ａの前側に配置され、穀稈を左右方向に倒伏させる倒伏ガイド２１と、を備える。【選択図】図６
2020178644.tif 000002
【特許請求の範囲】
【請求項１】
走行機体と、
前記走行機体の前部に昇降可能に連結され、穀稈を刈り取って後方に搬送する刈取部と、
前記走行機体に設けられ、前記刈取部が刈り取った穀稈を脱穀処理する脱穀装置と、を備える汎用コンバインであって、
前記刈取部は、
穀稈を後方に掻き込むリールと、
穀稈を刈り取る刈刃と、
刈り取った穀稈を掻き込むオーガと、
前記刈刃の前側に配置され、穀稈を左右方向に倒伏させる倒伏手段と、を備え、
前記倒伏手段は、前記刈刃から前方に延出し、かつ左右方向に並ぶ複数のガイド部材と、
隣接する前記ガイド部材間に導入される穀稈に干渉し、該穀稈を左右方向に倒伏させる倒伏部材と、を備え、
前記倒伏部材は、前記ガイド部材の穀稈案内位置よりも内側で前記ガイド部材に固定されることを特徴とする汎用コンバイン。
【請求項２】
前記ガイド部材は、左右側部から上方に立ち上がり、その外側面部が前記穀稈案内位置となる立ち上がり部を有し、
前記倒伏部材は、前記立ち上がり部の内側面部に固定される固定部を有することを特徴とする請求項１に記載の汎用コンバイン。
【請求項３】
前記倒伏部材は、前記穀稈案内位置より内側で前記ガイド部材の上面側に固定される固定部を有することを特徴とする請求項１に記載の汎用コンバイン。
【請求項４】
前記倒伏部材は、前記穀稈案内位置より内側で前記ガイド部材の下面側に固定される固定部を有することを特徴とする請求項１に記載の汎用コンバイン。
【発明の詳細な説明】
【技術分野】
【０００１】
本発明は、作物を収穫可能な汎用コンバインに関する。
【背景技術】
【０００２】
特許文献１には、走行機体と、走行機体の前部に昇降可能に連結され、穀稈を刈り取って後方に搬送する刈取部と、走行機体に設けられ、刈取部が刈り取った穀稈を脱穀処理する脱穀部と、を備え、刈取部は、穀稈を後方に掻き込むリールと、穀稈を刈り取る刈刃と、刈り取った穀稈を掻き込むオーガと、刈刃の前側に配置され、刈刃の前方に落下した穀稈を受け止めるガイド部材と、を備える汎用コンバインが開示されている。このような汎用コンバインによれば、例えば、飼料用のトウモロコシを刈り取る際に、刈刃の前方にトウモロコシの房部が落下したとしても、落下した房部をガイド部材で受け止めることができるので、ロスの発生を抑制できる。
【先行技術文献】
【特許文献】
【０００３】
【特許文献１】特開２０１６−１７８９２５号公報
【発明の概要】
【発明が解決しようとする課題】
【０００４】
しかしながら、特許文献１のような汎用コンバインでは、トウモロコシのように折れにくい長手状の穀稈の刈取作業を行う場合に、穀稈が直立状態であると、オーガによる掻き込みが適切に行われず、穀稈が詰まる虞があった。
【課題を解決するための手段】
【０００５】
本発明は、上記の如き実情に鑑みこれらの課題を解決することを目的として創作されたものであって、請求項１の発明は、走行機体と、前記走行機体の前部に昇降可能に連結され、穀稈を刈り取って後方に搬送する刈取部と、前記走行機体に設けられ、前記刈取部が刈り取った穀稈を脱穀処理する脱穀装置と、を備える汎用コンバインであって、前記刈取部は、穀稈を後方に掻き込むリールと、穀稈を刈り取る刈刃と、刈り取った穀稈を掻き込むオーガと、前記刈刃の前側に配置され、穀稈を左右方向に倒伏させる倒伏手段と、を備え、前記倒伏手段は、前記刈刃から前方に延出し、かつ左右方向に並ぶ複数のガイド部材と、隣接する前記ガイド部材間に導入される穀稈に干渉し、該穀稈を左右方向に倒伏させる倒伏部材と、を備え、前記倒伏部材は、前記ガイド部材の穀稈案内位置よりも内側で前記ガイド部材に固定されることを特徴とする。
また、請求項２の発明は、請求項１に記載の汎用コンバインにおいて、前記ガイド部材は、左右側部から上方に立ち上がり、その外側面部が前記穀稈案内位置となる立ち上がり部を有し、前記倒伏部材は、前記立ち上がり部の内側面部に固定される固定部を有することを特徴とする。
また、請求項３の発明は、請求項１に記載の汎用コンバインにおいて、前記倒伏部材は、前記穀稈案内位置より内側で前記ガイド部材の上面側に固定される固定部を有することを特徴とする。
また、請求項４の発明は、請求項１に記載の汎用コンバインにおいて、前記倒伏部材は、前記穀稈案内位置より内側で前記ガイド部材の下面側に固定される固定部を有することを特徴とする。
【発明の効果】
【０００６】
請求項１の発明によれば、刈刃の前側に配置され、穀稈を左右方向に倒伏させる倒伏手段を備えるので、オーガによる掻き込みを円滑にして穀稈の詰まりを抑制できる。また、倒伏手段は、刈刃から前方に延出し、かつ左右方向に並ぶ複数のガイド部材と、隣接するガイド部材間に導入される穀稈に干渉し、該穀稈を左右方向に倒伏させる倒伏部材と、を備え、倒伏部材は、ガイド部材の穀稈案内位置よりも内側でガイド部材に固定されるので、倒伏部材の固定部に穀稈の一部が引っ掛かって堆積することを防止し、その結果、該堆積による穀稈の詰まりや、倒伏手段の破損を回避できる。
また、請求項２の発明によれば、ガイド部材は、左右側部から上方に立ち上がり、その外側面部が穀稈案内位置となる立ち上がり部を有し、倒伏部材は、立ち上がり部の内側面部に固定される固定部を有するので、倒伏部材の固定部に対する穀稈の接触を確実に防止できる。
また、請求項３の発明によれば、倒伏部材は、穀稈案内位置より内側でガイド部材の上面側に固定される固定部を有するので、簡易な構成で倒伏部材の固定部に対する穀稈の接触を防止できる。
また、請求項４の発明によれば、穀稈案内位置より内側でガイド部材の下面側に固定される固定部を有するので、簡易な構成で倒伏部材の固定部に対する穀稈の接触を防止できる。
【図面の簡単な説明】
【０００７】
【図１】本発明の一実施形態の汎用コンバインを示す全体側面図である。
【図２】図１の汎用コンバインの刈取部を示す要部側面図である。
【図３】図１の汎用コンバインの刈取部を示す要部平面図である。
【図４】図１の汎用コンバインの刈取部を示す要部斜視図である。
【図５】図１の汎用コンバインの倒伏ガイドを示す側面図である。
【図６】図１の汎用コンバインの倒伏ガイドを示す斜視図であり、（ａ）は倒伏ガイドの取付状態を示す斜視図、（ｂ）は倒伏ガイドの分解斜視図である。
【図７】図１のコンバインの倒伏ガイドの作用を示す図であり、（ａ）は第１実施形態の倒伏ガイドを示す図５のＸ−Ｘ断面図、（ｂ）は第２実施形態の倒伏ガイドを示す図５のＸ−Ｘ断面図、（ｃ）は第３実施形態の倒伏ガイドを示す図５のＸ−Ｘ断面図、（ｄ）は第４実施形態の倒伏ガイドを示す図５のＸ−Ｘ断面図である。
【発明を実施するための形態】
【０００８】
［汎用コンバイン］
以下、本発明の実施の形態について、図面に基づいて説明する。図１において、Ｃは汎用コンバインであって、該汎用コンバインＣは、左右一対のクローラ式走行装置１を有する走行機体２と、該走行機体２の前方に昇降自在に連結された刈取部３と、を備えている。
【０００９】
走行機体２は、その左側半部には、刈取部３で刈取られた穀稈の脱穀処理を行うとともに、脱穀処理された処理物から穀粒を選別する脱穀装置４が設置され、その右側半部には、脱穀装置４で選別された穀粒が貯留されるグレンタンク６が設置され、グレンタンク６の前方には、オペレータが乗込む操縦部７が設置されている。
【００１０】
図１〜図４に示すように、刈取部３は、刈り取った作物を脱穀装置４側に搬送するフィーダ８と、フィーダ８の前端側に連結され、前面及び上面が開放された箱状の刈取フレーム９と、刈取フレーム９を構成する左右の側壁９ａの前端側に取付けられた分草体１１と、刈取フレーム９の上方に支持された前後方向の支持アーム１２の前端側に回転可能に架設支持されたリール１３と、刈取フレーム９の左右の側壁９ａ間に形成された底板９ｂ上に軸回転可能に支持された左右方向の掻込オーガ１４と、掻込オーガ１４の前方に配置されて刈刃１６Ａが左右方向に往復駆動する刈取装置１６と、を備えている。
【００１１】
掻込オーガ１４は、左右方向に延びる円筒状に形成されて軸回転する本体部１７と、本体部１７の外周面に沿って螺旋状に取付けられた搬送板１８と、本体部１７の軸方向外側に向かつて突設された搬送棒１９とを有し、搬送板１８及び搬送棒１９は、刈取装置１６によって株元が刈取られた刈取穀稈をスムーズにフィーダ９側まで後方搬送することができる（図３及び図４参照）。
【００１２】
ちなみに、掻込オーガ１４の前方には、刈取装置１６によって刈取られる穀稈を左右方向に倒伏するための倒伏ガイド（倒伏手段）２１が設けられている。なお、倒伏ガイド２１の具体的な構成については後述する。
【００１３】
フィーダ９は、刈取った穀稈を後方搬送する前後方向のフィーダコンベア２２を備え、全体が走行機体２の操縦部７の側方に位置するとともに、フィーダ９の後端部が走行機体２の前部に支持されている。
【００１４】
また、刈取部３と走行機体２の前部との間には、刈取部３を走行機体２に対して昇降作動させる油圧式のリフトシリンダ１０が設けられている。これにより、リフトシリンダ１０の伸長作動によって刈取部３全体が走行機体２に対して上昇作動する一方で、リフトシリンダ１０の縮小作動によって刈取部３全体が走行機体２に対して下降作動するように構成されている。
【００１５】
リール１３は、支持アーム１２側に取付けられた昇降シリンダ１５の伸縮作動によって、刈取フレーム９に対して昇降作動するように構成されている。また、リール１３は、軸回転する側面視多角形状（図示する例では６角形状）の左右一対のサイドフレーム２３を有し、互いに離間した状態で平行に対向配置されたサイドフレーム２３の頂点部分同士をそれぞれ左右方向の横フレーム２４によって連結固定することによって、周囲及び左右両側が内外で連通し、且つ内部が空洞となる角柱状に成型されており、横フレーム２４には、下降突出するリールタイン２６が所定間隔毎に複数設置されている（図４参照）。
【００１６】
このような構成によれば、回転するリール１３によって掻込まれた圃場の作物の穀稈は、後述する倒伏ガイド２１によって左方向又は右方向に倒伏されながら、左右に往復スライド駆動される刈刃１６Ａによって刈取られ、刈取られた刈取穀稈が掻込オーガ１３によってフィーダ９側に掻込まれる。フィーダ９側に導入された作物の穀稈は、フィーダコンベア２２によって脱穀装置４側まで後方搬送される。
【００１７】
脱穀装置４は、脱穀装置４の上側に設けられ、フィーダ９から搬送される刈取穀稈の脱穀作業を行う脱穀部２７と、脱穀装置４の下側に設けられ、脱穀部２７で脱穀された処理物を穀粒と藁屑等の排塵物とに選別する選別部２８と、を備える。
【００１８】
脱穀部２７は、フィーダ９の後端側から刈取穀稈の全部が投入される扱室２９と、扱室２９内で前後方向の軸回りに回転駆動可能に支持された円筒状の扱胴３１と、扱胴３１の下方で扱胴３１の形状に沿う背面視円弧状の受網（図示せず）と、を備える。
【００１９】
このような構成によれば、フィーダ９によって扱室２９に全稈投入された刈取穀稈は、回転駆動される扱胴３１によって脱穀処理されることによって排藁となり、排藁は扱室２９の後方の排出部３２から機外へと排出される。その一方で、扱胴３１によって脱穀された処理物は、籾などの穀粒と藁屑等とを含んでおり、受網を介して選別部２８側に導入される。
【００２０】
選別部２８は、受網から漏下した処理物を揺動選別する揺動選別体３３と、揺動選別体３３の前方下方側に配置され、後方上側に向けて選別風を送風する唐箕ファン３４と、選別後の排塵物を機外へ排出する１番選別ファン３６と、唐箕ファン３４によって選別された１番物である穀粒を回収する１番ラセン３７と、２番物を回収する２番ラセン３８と、を備える。
【００２１】
このような構成によれば、揺動選別体３３で選別されて漏下した処理物は、唐箕ファン３４によって起風された選別風の影響を殆ど受けずに選別部２８の前後方向中央（１番ラセン３７）よりも前方に落下して１番ラセン３７で回収される１番物と、選別風の影響を若干受けて１番ラセン３７よりも後方に落下して２番ラセン３８で回収される２番物とに風選され、藁屑等は選別風によって排出部３２から機外に飛ばされる。
【００２２】
１番ラセン３７によって回収された穀粒は、一番ラセン３７の搬送端側に設けた穀粒搬送装置（図示せず）で上方搬送されることにより、グレンタンク６の上部側からグレンタンク６内へと投入される。なお、グレンタンク６内に貯留された穀粒はオーガ３９を介して機外へと排出される。
【００２３】
［倒伏ガイド］
つぎに、図２〜図７に基づいて、倒伏ガイド２１の構成について説明する。これらの図に示すように、倒伏ガイド２１は、刈取装置１６の下面側に突出するように取付けられる取付部材４１と、取付部材４１の前部側に着脱可能にボルト固定され、且つ刈取装置１６の前側から前方上側に向かつて傾斜するように延設されたガイド部材４２と、ガイド部材４２の左右一方側に着脱可能にボルト固定される倒伏部材４３と、を備えている。
【００２４】
［取付部材］
取付部材４１は、基端側に刈取装置１６の基端部下面側にボルト固定されるガイド支持部４４が形成され、ガイド支持部４４から刈取装置１６に沿って前方に延設され、その中途部が上方に向かつて屈曲形成されている（図５参照）。
【００２５】
また、取付部材４１の先端側は、刈取装置の先端の前方上側まで延設されるとともに、その先端部分が水平（下方）方向に若干屈曲形成され、ガイド部材４２が着脱可能に取付けられる一対の取付孔４６が穿設されている（図６（ｂ）参照）。
【００２６】
このような構成によれば、取付部材４１は、ガイド支持部４４を介して、左右方向の刈取装置１６の下面側に着脱可能にボルト固定することができるため、ガイド部材４２（倒伏ガイド２１）が必要な位置に取付けられる。
【００２７】
［ガイド部材］
ガイド部材４２は、取付部材４１の前部上面側と刈取装置１６の上面側との間に架け渡されるように載置される前後方向の支持部４７と、支持部４７の前端側から前方上方に向けて延設された株元ガイド部４８と、が形成されている。ガイド部材４２は、株元ガイド部４８の基端側に穿設された取付孔４８ａと、取付部材４１側のガイド取付孔４６とを介して、刈取装置１６の前側に着脱可能にボルト固定される（図６（ｂ）参照）。
【００２８】
株元ガイド部４８は、その前部側は前後方向中途部から先端に向かつて徐々に幅狭となって先端が鋭角状に形成された板状部材であって、株元ガイド部４８の中央上面側には、前後方向に延設された棒状の補強部材４９が溶着されている。
【００２９】
また、株元ガイド部４８の基端側は、その左右両側を上方に立ち上がるように屈曲することにより前側固定部５１（立ち上がり部）が形成されており、前側固定部５１には、倒伏部材４３の前側を取付支持するための前後一対の取付孔５１ａが左右にそれぞれ穿設されている。
【００３０】
このような構成によれば、ガイド部材４２は、刈取装置１６側から前方上方に向かつて延設され、その先端側が徐々に幅狭となる鋭角状に形成されたことによって、刈取装置１６によって刈取られる圃場の穀稈は、隣接するガイド部材４２の間に順次案内されるため、倒伏部材４３による穀稈の倒伏と、刈取装置１６による穀稈の刈り取りとを詰まりなくスムーズに行うことができる。
【００３１】
また、ガイド部材４２は、刈取部３がリフトシリンダ１０によって最下降位置から前方上方に向けて押上げるようにして上昇作動するように構成されているため、刈取部３が最下降位置まで下降された状態では、ガイド部材４２が側面視で略水平な水平姿勢となる一方で、刈取部３が刈取作業を行う刈高さまで上昇作動された状態では、ガイド部材４２が側面視で前高後低の傾斜姿勢となるように構成されている。なお、ガイド部材４２の取付角度はこれに限られず、刈取部３が刈取高さまで上昇された場合に、水平姿勢となるように構成してもよい。
【００３２】
支持部４７は、後端側には左右中央に前方に向かつて凹設された凹設部４７ａが形成されている。また、支持部４７の左右両側には、左右両端が上方に立ち上がるアングル状部材であって、倒伏部材４３の後側が取付支持される一対の後側固定部５２（立ち上がり部）が溶着等で取付固定されており、後側固定部５２には、倒伏部材４３を取付けるための取付孔５２ａが穿設されている（図６等参照）。
【００３３】
このような構成によれば、前側固定部５１と後側固定部５２とは、ガイド部材４２の左右両側に設けられているため、倒伏部材４２は、ガイド部材４２の左右両端のどちらにも取付けることができる。
【００３４】
すなわち、倒伏ガイド２１の左側に倒伏部材４３を取付ける場合と、倒伏ガイド２１の右側に倒伏部材４３を取付ける場合とで、同一形状のガイド部材４２を兼用して用いることができるため、部品点数の種類を削減して製造コストを低く抑えることができる。
【００３５】
［倒伏部材］
倒伏部材４３は、ガイド部材４２の左右側方側に取付けられる板状部材であって、前側固定部５１及び後側固定部５２に取付固定するための取付孔４３ａ、４３ｂ、４３ｃが前後方向に複数（図示する例では３箇所）並べて穿設されており、倒伏部材４３の上端側には、左右一方側、具体的には取付けられるガイド部材４２と反対側に向けて屈曲形成された屈曲部５３が形成されている。
【００３６】
屈曲部５３は、後方に向かつて徐々に幅広となるように形成されており、平面視で直角三角形状となるように構成されている（図３及び図６参照）。このとき、屈曲部５３の左右幅は、隣接して配置される倒伏ガイド２１同士の間の距離よりも短く、より具体的には、刈取装置１６の刈刃１６Ａの歯幅の半分程度となるように形成されている。
【００３７】
ちなみに、屈曲部５３の左右幅は、隣接する倒伏ガイド２１に到達する範囲まで広く形成することにより、平面視で屈曲部５３の後端側が隣接する倒伏ガイド２１のガイド部材４２とラップするように構成してもよい。このような構成によれば、ガイド部材４２によって刈取装置１６の前方まで案内された穀稈の株元側をより確実に左右一方側へ倒伏させることができる。
【００３８】
上述の倒伏ガイド２１は、刈取フレーム９（刈取装置１６）の左右幅全体に亘って左右方向に複数並べて設けられるとともに、左右方向に並べて配置される各倒伏ガイド２１同士の間は、刈取装置１６の刈刃１６Ａの歯幅程度の間隔を空けて取付けられている（図２等参照）。
【００３９】
また、倒伏ガイド２１は、刈取装置１６の右側半部に取付けられた倒伏部材４３は、屈曲部５３が左右左側に延設される方向に取付けられ、刈取装置１６の左側半部に取付けられた倒伏部材４３は、屈曲部５３が左右右側に延設される方向に取付けられるように構成されている。言い換えると、倒伏部材４３は、刈取られる圃場の穀稈を刈取部３の中心に向かう左右内側に倒伏させるように構成されている（図３参照）。
【００４０】
具体的には、刈幅の略中心で、且つフィーダ入口寄りに配置された倒伏ガイド２１を中心ガイド２１Ｃとして設定し、各倒伏ガイド２１（倒伏部材４３）は、刈取穀稈を中心ガイド２１Ｃに向けて倒伏させるように設定されている（図３参照）。このとき、中心ガイド２１Ｃの位置は、ガイド部材４２に取付けられる倒伏部材４３を組み替えることによって容易に変更できるように構成されている。
【００４１】
なお、中心ガイド２１Ｃは、刈幅の中心に配置された倒伏ガイド２１や、フィーダ９の左右中心に配置された倒伏ガイド２１を選択してもよい。ちなみに、図示する例では、左から５番目に配置された倒伏ガイド２１が左右方向の中心に配置された中心ガイド２１Ｃとして設定されている。
【００４２】
すなわち、上述の構成の倒伏ガイド２１によれば、隣接する倒伏ガイド２１の間に案内された圃場の穀稈は、株元ガイド４８の左右両端部（前側固定部５１及び後側固定部５２を含む）によって左右内側を支点として株元側を押さえられながら、支点の上方且つ株元の左右外側を屈曲部５３によって左右一方側に向けて徐々に押出されるように構成されている。このため、倒伏ガイド２１は、穀稈の株元側を左右一方側に折曲げて穀稈を倒伏させることができる（図７参照）。
【００４３】
このとき、倒伏ガイド２１によって左右方向一方側に倒伏される穀稈は、必ず刈取部３の左右方向中心側に向かつて倒伏されるため、穀稈が刈取部３の左右外側方向に倒伏されて刈取部３側から圃場に零れ落ちる事態を確実に防止できる。
【００４４】
上述の構成によれば、圃場の穀稈は、倒伏ガイド２１によって左右方向一方側に倒伏された状態で刈取られることにより、掻込オーガ１４側に供給される刈取穀稈が必ず左右方向に傾いた状態となる。
【００４５】
これにより、例えば、刈取対象がトウモロコシ等のように比較的長手状で折れ難く（又は擦り難く）且つ枝葉等が少ない穀稈の場合、該刈取穀稈が、掻込オーガ１４の搬送棒１９の移動方向に対して略平行となるように真後ろに寄りかかるように倒れると、搬送棒１９等への引っ掛かりが少なくなって刈取穀稈が十分に掻込めない虞があるところ、本実施形態では、刈取穀稈が左右方向に傾けられるため、搬送棒１９等が刈取穀稈に引っ掛かり易くなる。
【００４６】
［倒伏部材の固定構造］
つぎに、本発明の要部である倒伏部材４３の固定構造について、図６及び図７を参照して説明する。
【００４７】
倒伏部材４３は、取付孔４３ａ、４３ｂ、４３ｃが形成される固定部５４を有し、該固定部５４がガイド部材４２に対してボルト固定される。このとき、倒伏部材４３は、ガイド部材４２の穀稈案内位置Ｇよりも内側でガイド部材４２に固定される。例えば、図７の（ａ）に示す第１実施形態では、外側面部がガイド部材４２の穀稈案内位置Ｇとなる前側固定部５１及び後側固定部５２の内側面部に倒伏部材４３の固定部５４をボルト固定している。
【００４８】
このような倒伏部材４３の固定構造によれば、倒伏部材４３の固定部５４（特に前端部）に穀稈の一部が引っ掛かって堆積することを防止できるので、該堆積による穀稈の詰まりや、倒伏ガイド２１の破損を回避できる。具体的に説明すると、例えば、前側固定部５１及び後側固定部５２の外側面部に倒伏部材４３の固定部５４をボルト固定した場合、倒伏部材４３の固定部５４の前端部と前側固定部５１との間の隙間に穀稈の一部（例えば、表皮の繊維など）が入り込み、それを起点として屑が堆積して穀稈の詰まりが発生したり、堆積した屑の押圧力によって倒伏部材４３の固定部５４と前側固定部５１との間の隙間が押し広げられ、倒伏ガイド２１が破損する虞があるが、本実施形態の倒伏ガイド２１によれば、このような問題を解決することが可能になる。また、倒伏部材４３の固定部５４と穀稈との間には、ガイド部材４２の左右側部から上方に立ち上がる前側固定部５１及び後側固定部５２が介在するので、倒伏部材４３の固定部に対する穀稈の接触をより確実に防止できる。
【００４９】
［第１実施形態の効果］
叙述の如く構成された本実施形態によれば、走行機体２と、走行機体２の前部に昇降可能に連結され、穀稈を刈り取って後方に搬送する刈取装置３と、走行機体２に設けられ、刈取部３が刈り取った穀稈を脱穀処理する脱穀装置４と、を備える汎用コンバインＣであって、刈取部３は、穀稈を後方に掻き込むリール１３と、穀稈を刈り取る刈刃１６Ａと、刈り取った穀稈を掻き込むオーガ１４と、刈刃１６Ａの前側に配置され、穀稈を左右方向に倒伏させる倒伏ガイド２１と、を備えるので、オーガ１４による掻き込みを円滑にして穀稈の詰まりを抑制できる。
【００５０】
また、倒伏ガイド２１は、刈刃１６Ａから前方に延出し、かつ左右方向に並ぶ複数のガイド部材４２と、隣接するガイド部材４２間に導入される穀稈に干渉し、該穀稈を左右方向に倒伏させる倒伏部材４３と、を備え、倒伏部材４３は、ガイド部材４２の穀稈案内位置Ｇよりも内側でガイド部材４２に固定されるので、倒伏部材４３の固定部５４に穀稈の一部が引っ掛かって堆積することを防止し、該堆積による穀稈の詰まりや、倒伏ガイド２１の破損を回避できる。
【００５１】
また、ガイド部材４２は、左右側部から上方に立ち上がり、その外側面部が前記穀稈案内位置Ｇとなる前側固定部５１及び後側固定部５２を有し、倒伏部材４３は、前側固定部５１及び後側固定部５２の内側面部に固定される固定部５４を有するので、倒伏部材４３の固定部５４に対する穀稈の接触を確実に防止できる。
【００５２】
［他の実施形態］
つぎに、本発明の第２〜第４実施形態に係る倒伏ガイド２１Ｂ〜２１Ｄについて、図７の（ｂ）〜（ｄ）を参照して説明する。
【００５３】
図７の（ｂ）に示すように、第２実施形態に係る倒伏ガイド２１Ｂのガイド部材４２Ｂは、左右両端部から上方に立ち上がる立ち上がり部（第１実施形態の前側固定部５１及び後側固定部５２）を有しておらず、ガイド部材４２Ｂの左右両端部が穀稈案内位置Ｇ２となっている。
【００５４】
第２実施形態に係る倒伏ガイド２１Ｂの倒伏部材４３Ｂは、左右方向に沿う固定部５４Ｂと、固定部５４Ｂの左右方向外端部から上方に立ち上がる立ち上がり部５５Ｂと、立ち上がり部５５Ｂの上端部から外側方に延出する屈曲部５３Ｂと、を備える。
【００５５】
そして、倒伏部材４３Ｂの固定部５４Ｂは、穀稈案内位置Ｇ２より内側でガイド部材４２Ｂの上面側にボルト固定される。このような第２実施形態の倒伏ガイド２１Ｂによれば、倒伏部材４３Ｂは、穀稈案内位置Ｇ２より内側でガイド部材４２Ｂの上面側に固定される固定部５４Ｂを有するので、簡易な構成で倒伏部材４３Ｂの固定部５４Ｂに対する穀稈の接触を防止できる。
【００５６】
図７の（ｃ）に示すように、第３実施形態に係る倒伏ガイド２１Ｃのガイド部材４２Ｃは、第２実施形態のガイド部材４２Ｂと同様に、左右両端部から上方に立ち上がる立ち上がり部（第１実施形態の前側固定部５１及び後側固定部５２）を有しておらず、ガイド部材４２Ｃの左右両端部が穀稈案内位置Ｇ３となっている。
【００５７】
第３実施形態に係る倒伏ガイド２１Ｃの倒伏部材４３Ｃは、第２実施形態の倒伏部材４３Ｂと同様に、左右方向に沿う固定部５４Ｃと、固定部５４Ｃの左右方向外端部から上方に立ち上がる立ち上がり部５５Ｃと、立ち上がり部５５Ｃの上端部から外側方に延出する屈曲部５３Ｃと、を備える。
【００５８】
そして、倒伏部材４３Ｃの固定部５４Ｃは、穀稈案内位置Ｇ３より内側でガイド部材４２Ｃの下面側にボルト固定される。このような第３実施形態の倒伏ガイド２１Ｃによれば、倒伏部材４３Ｃは、穀稈案内位置Ｇ３より内側でガイド部材４２Ｃの下面側に固定される固定部５４Ｃを有するので、簡易な構成で倒伏部材４３Ｃの固定部５４Ｃに対する穀稈の接触を防止できる。
【００５９】
図７の（ｄ）に示すように、第４実施形態に係る倒伏ガイド２１Ｄのガイド部材４２Ｄは、第１実施形態のガイド部材４２と同様に、左右両端部から上方に立ち上がる立ち上がり部５１Ｄ（第１実施形態の前側固定部５１及び後側固定部５２）を有し、立ち上がり部５１Ｄの外側面部が穀稈案内位置Ｇ４となっている。
【００６０】
第４実施形態に係る倒伏ガイド２１Ｄの倒伏部材４３Ｄは、左右方向に沿う固定部５４Ｄと、固定部５４Ｄの左右方向外端部から上方に立ち上がる立ち上がり部５５Ｄと、立ち上がり部５５Ｄの上端部から外側方に延出する屈曲部５３Ｄと、を備える。
【００６１】
そして、倒伏部材４３Ｄの固定部５４Ｄは、穀稈案内位置Ｇ４より内側でガイド部材４２Ｄの上面側にボルト固定される。このような第４実施形態の倒伏ガイド２１Ｄであっても、倒伏部材４３Ｄの固定部５４Ｄに対する穀稈の接触を防止できる。
【００６２】
なお、本発明は前記実施形態に限定されるものではなく、特許請求の範囲に記載された本発明の要旨の範囲内において、種々の変形、変更が可能である。例えば、前記実施形態の各倒伏部材４３は、刈取穀稈を中心ガイド２１Ｃに向けて倒伏させるようにガイド部材４２に取り付けられているが、各倒伏部材４３による刈取穀稈の倒伏方向は左右いずれか一方向でもよいし、ランダムであってもよい。
【符号の説明】
【００６３】
Ｃ  汎用コンバイン
２  走行機体
３  刈取部
４  脱穀装置
１３  リール
１４  オーガ
１６Ａ  刈刃
２１、２１Ｂ、２１Ｃ、２１Ｄ  倒伏ガイド
４２、４２Ｂ、４２Ｃ、４２Ｄ  ガイド部材
４３、４３Ｂ、４３Ｃ、４３Ｄ  倒伏部材
５１  前側固定部（立ち上がり部）
５２  後側固定部（立ち上がり部）
５４、５４Ｂ、５４Ｃ、５４Ｄ  固定部
Ｇ、Ｇ２〜Ｇ４  穀稈案内位置
【図１】
2020178644.tif 000003
【図２】
2020178644.tif 000004
【図３】
2020178644.tif 000005
【図４】
2020178644.tif 000006
【図５】
2020178644.tif 000007
【図６】
2020178644.tif 000008
【図７】
2020178644.tif 000009